(57)【特許請求の範囲】
【請求項１】
透明部材とランプボディとにより形成される灯室内に配置された光照射ユニット及び当該透明部材の表面を洗浄するための洗浄ユニットを含む複数のユニットが組み込まれて成る、洗浄機能を備えた車輌用前照灯装置であって、
（イ）上記洗浄ユニットの噴射ノズルを含むノズル部に、装飾用カバー部材が設けられていること、
（ロ）上記ノズル部が、上記透明部材を洗浄するために当該部材の表面よりも前方に突出した第１の位置と、上記透明部材の洗浄後に当該部材の表面よりも後退した第２の位置とに亘って移動可能な状態で支持されていること、
（ハ）上記第２の位置において、上記装飾用カバー部材の表面が上記透明部材の表面とともに灯具の前面を形成することにより、当該装飾用カバー部材が上記光照射ユニットに対して独立して機能するユニットの一部として視認されるようにしたこと、
を特徴とする洗浄機能を備えた車輌用前照灯装置。
【請求項２】
請求項１に記載の洗浄機能を備えた車輌用前照灯装置において、
上記装飾用カバー部材に透明部又はレンズ部を形成することにより、第２の位置において当該部分の表面が透明部材とともに灯具の前面を形成している
ことを特徴とする洗浄機能を備えた車輌用前照灯装置。
【発明の詳細な説明】
【０００１】
【発明の属する技術分野】
本発明は、洗浄機構を備えた車輌用前照灯装置において、噴射ノズルとレンズ面との間の位置調整を簡略化し、かつ、噴射ノズルの非使用時に当該ノズルを灯具装置内に収容するとともに、ノズルの前方に装飾用カバー部材を付設することで灯具の見栄えを損なわないようにするための技術に関する。
【０００２】
【従来の技術】
自動車用のヘッドランプを構成するレンズ面の汚れを、噴射による水洗浄により除去することを目的としたランプウォッシャー装置（あるいはランプクリーナー装置）が知られており、例えば、図１６に示すように、車輌のバンパーａに付設して使用される装置例ｂが挙げられる。
【０００３】
本例では、噴射ノズル部ｃの端部に、不透明材料で形成されたカバーｄが付設されており、装置ｂを使用しないときには、カバーｄがバンパーａに当接された状態となっており、バンパーａに形成された開口ｅがカバーｄにより閉鎖されている。そして、当該装置を使用する際には、同図に２点鎖線で示すように、噴射ノズル部ｃ及びカバーｄが、装置内の図示しない駆動機構によって移動されて、噴射ノズル部ｃがバンパーａの開口ｅから車体外部に突出され、この状態から灯具のレンズ面ｆに向けて洗浄液が噴射される。
【０００４】
【発明が解決しようとする課題】
ところで、上記したような装置にあっては、洗浄装置ｂをバンパーａに取り付けているため、灯具のレンズ面ｆに対するノズルの噴射位置を調整するのに手間がかかってしまうという問題がある。つまり、洗浄時における噴射ノズルの設定位置をレンズ面に対して一定化させるためには、洗浄装置を車体に取り付ける際に高い位置精度が要求されることになる。
【０００５】
また、噴射ノズル部ｃに付設されたカバーｄがバンパーａの上面に現れることによって見栄えを損なう虞や、噴射ノズル部ｃの通過用の開口ｅをバンパーａに形成する必要が生じる等、各種の不都合が問題となる。
【０００６】
そこで、本発明は、洗浄機能を備えた車輌用前照灯装置において、灯具のレンズ面に対する噴射ノズルの位置決めを容易にするとともに、噴射ノズルのカバーが外観に及ぼす悪影響をなくすことを課題とする。
【０００７】
【課題を解決するための手段】
本発明は上記した課題を解決するために、透明部材とランプボディとにより形成される灯室内に配置された光照射ユニット及び当該透明部材の表面を洗浄するための洗浄ユニットを含む複数のユニットが組み込まれて成る、洗浄機能を備えた車輌用前照灯装置において、下記の（イ）乃至（ハ）に示す構成を有するものである。
【０００８】
（イ）洗浄ユニットの噴射ノズルを含むノズル部に、装飾用カバー部材が設けられていること。
【０００９】
（ロ）（イ）のノズル部が、透明部材を洗浄するために当該部材の表面よりも前方に突出した第１の位置と、透明部材の洗浄後に当該部材の表面よりも後退した第２の位置とに亘って移動可能な状態で支持されていること。
【００１０】
（ハ）（ロ）に示す第２の位置において、装飾用カバー部材の表面が透明部材の表面とともに灯具の前面を形成することにより、当該装飾用カバー部材が光照射ユニットに対して独立して機能するユニットの一部として視認されるようにしたこと。
【００１１】
本発明によれば、洗浄ユニットが灯具に組み込まれた構成を有しているので、灯具に対する洗浄ユニットの取付精度のみによって透明部材に対する噴射ノズルの位置精度を規定することができ、また、噴射ノズルが灯具装置に収容された状態において当該ノズルに付設された装飾用カバー部材の表面が透明部材の表面とともに灯具の前面を形成しているので、灯具の外観を損なうこともなくなる。
【００１２】
【発明の実施の形態】
本発明に係る洗浄機能を備えた車輌用前照灯装置は、透明部材（透明材料で形成されたレンズ部材あるいはレンズ作用をもたない透明カバー等。）とランプボディとにより形成される灯室を有するとともに、その内部には光照射ユニット（光源及び反射鏡、必要に応じてレンズ部材を含む。）が配置された構成を有しており、当該光照射ユニット及び当該透明部材の表面を洗浄するための洗浄ユニット（ランプウォッシャーユニット）を含む複数のユニットが組み込まれた構成とされる。
【００１３】
そして、洗浄ユニットの噴射ノズルを含むノズル部には、装飾用カバー部材（ノズルカバー）が設けられており、これには灯具の正面から洗浄ユニットが丸見えにならないようにカバー部材を不透明材料で形成する形態と、レンズ面との間で外観上の調和を図るようにした下記の形態が挙げられる。
【００１４】
（Ｉ）装飾用カバー部材を非点灯のダミーレンズ部としてみせかけるようにした形態
（ＩＩ）装飾用カバー部材を実際に点灯（反射光を利用した擬似的な点灯を含む。）するレンズ部として利用するようにした形態。
【００１５】
図１乃至図３は形態（Ｉ）の基本構成例を示すものであり、図１に示す車輌用灯具１の正面図から分かるように光照射ユニット２と洗浄ユニット３とが水平方向に沿って配置された構成を有している。
【００１６】
そして、この例では車輌用灯具１を構成するランプボディ１ａと、その前面を覆う透明部材１ｂとによって灯具空間が構成されており、当該空間において光照射ユニット２と洗浄ユニット３が横並びに配列されている。尚、光照射ユニット２として、例えば、投影レンズや楕円反射鏡等を用いた所謂プロジェクタ型のランプ構成や、反射面が多数の反射ステップにより構成された多重面反射鏡（あるいはステップリフレクタ）等を使用する場合には、透明部材１ｂについてレンズステップが全く形成されていない素通しのカバーとされるか又は僅かにレンズステップが形成されている状態とされ、また、光照射ユニット２を構成する反射鏡として、回転放物面反射鏡等のように反射鏡だけでは車輌用配光の制御に必要充分な光学的作用を有していない場合には、透明部材１ｂのうち当該反射鏡の反射面に対応する領域に多数のレンズステップが形成される。
【００１７】
図２は洗浄ユニット３についてその要部（前端寄りの部分）を示す縦断面図であり、噴射ノズル４を含むノズル部５には装飾用カバー部材６が設けられており、図１において、灯具の正面から視認されるのはこの部分である。
【００１８】
ノズル部５は、同図に２点鎖線で示すように、透明部材１ｂを洗浄するためにその表面よりも前方に突出した位置（これを「第１の位置」という。）と、透明部材の洗浄後にその表面よりも後退した位置（これを第２の位置」という。）とに亘って移動可能な状態で灯具に支持されている。尚、ノズル部５の駆動方式について、その如何は問わない。例えば、後述するように、洗浄ユニットの本体部がシリンダ及びピストンを有しており、送液用ポンプによって洗浄液タンクからシリンダ内に洗浄液が圧送されるようにし、その際の洗浄液のシリンダ内の圧力上昇によってピストンが移動して、当該ピストンの端部に付設された噴射ノズルが一緒に前方に突出するようにした構成（洗浄液の噴射終了時にはシリンダ内の圧力低下に伴ってコイルバネ等の弾発手段によりピストンがシリンダ内に引っ込んで洗浄前の元の状態に戻る。）等が挙げられる。
【００１９】
尚、図１及び図２に示す例では、噴射ノズル４の開口あるいは噴射口（図示せず。）が横向きとされ、上記した第１の位置において洗浄液は、透明部材１ｂのうち光照射ユニット２に対応した部分（外表面）に向けて噴射される。
【００２０】
また、ノズル部５を使用しないときには、この部分が上記した第２の位置に来ており、装飾用カバー部材６の表面が透明部材１ｂの表面と面一の状態となり、透明部材１ｂとともに灯具の前面を形成する。これによって、灯具の正面形状において、装飾用カバー部材６が光照射ユニット２に対して独立して機能するユニットの一部として視認されるようになるので、見栄えが向上する。
【００２１】
尚、装飾用カバー部材６には、透明部又はレンズ部を形成することが好ましい。その理由は、当該部分の表面が第２の位置において透明部材１ｂとともに灯具の前面を形成しているので、外観上違和感なく灯具前面がレンズ面として一体的に認識されるようになるからである。
【００２２】
また、図２に示すように、装飾用カバー部材６について、前面の透明カバー部６ａとその後方のボディ部６ｂとからなる構成とし、透明カバー部６ａ又はボディ部６ｂの一方あるいは両方にステップ（シリンドリカルステップや魚眼レンズステップ等）を形成すると、ダミーレンズ部としての見栄えがさらに良くなり、灯具正面からはあたかもランプ部であるかのような視覚的効果を得ることができる。尚、透明カバー部６ａについては無色透明としても良いし、また、これを有色透明にしてランプの機能色を付与しても良い（透明部又はレンズ部を有色透明材料で形成する方法等。）。そして、ボディ部６ｂについては不透明材料で形成する方法と、表面に反射膜を蒸着して反射面を形成したりあるいは表面に反射ステップを形成した構成を用いる方法等が挙げられ、いずれにしても噴射ノズル４や洗浄ユニット３の本体部等が灯具の正面からは殆ど視認できないようにすることが望ましい。
【００２３】
尚、形態（Ｉ）については、図１に限らず、図３に示す車輌用灯具１′の正面図のように、光照射ユニット２と洗浄ユニット３とが鉛直方向に沿って配置された縦型の構成（この場合には、噴射ノズル４の噴射口が上向きとされ、第１の位置において洗浄液が光照射ユニット２に対応した透明部材１ｂの上側部分に向けて噴射される。）等、各種の態様が可能である。
【００２４】
図４乃至図８は、上記形態（ＩＩ）について構成例を示したものである。
【００２５】
図４及び図５に示す車輌用灯具１Ａでは、第１の光照射ユニット２ａと、第２の光照射ユニット２ｂ及び洗浄ユニット３Ａが水平方向に沿った配置とされており、上記した車輌用灯具１との相違点は下記に示す通りである。
【００２６】
・灯具の正面から見て第２の光照射ユニット２ａと洗浄ユニット３Ａとが隣接しており、両ユニットが外観上は一体化して視認されること。
【００２７】
・装飾用カバー部材６Ａの内部には反射部６Ａｃが形成されており、第２の光照射ユニット２ｂを構成する光源７（白熱電球等）から当該装飾用カバー部材６Ａに入射された光が反射部６Ａｃで反射されて前方に照射されること。
【００２８】
図５は第２の光照射ユニット２ｂ及び洗浄ユニット３Ａについてそれらの要部を示す水平断面図である。
【００２９】
図示するように、第２の光照射ユニット２ｂ（例えば、クリアランスランプ等の補助ランプ。）については、その光源７と、当該光源の光を前方に反射するための反射鏡８と、該反射鏡８を前方から覆うように取り付けられたレンズ部材９とから構成されている。
【００３０】
そして、洗浄ユニット３Ａについては、噴射ノズル４の前方に付設された装飾用カバー部材６Ａが、透明なカバー部（あるいはレンズ部）６Ａａとボディ部６Ａｂから構成されており、ボディ部６Ａｂには、上記光源７からの光を前方に向けて反射するための反射部６Ａｃ（図には複数の反射ステップを形成してそれらの表面に反射処理を施した例を示す。）が形成されている。つまり、光源７の発する光の一部が、図５の矢印「ＬＡ」で示すように、カバー部（あるいはレンズ部）６Ａａに入射された後で反射部６Ａｃによって反射されることになるので、ノズル部５が第２の位置にあって、かつ、光源７の点灯時には、装飾用カバー部材６Ａが第２の光照射ユニット２ｂに対する光制御の補助機能を有することになる（レンズ部材９及び装飾用カバー部材６Ａから光が出射される。）。よって、装飾用カバー部材６Ａは本来、洗浄ユニット３Ａのカバーとして機能するものであるが、光源７の点灯時には、あたかも光照射ユニットの一部を構成しているかのように視認される。
【００３１】
尚、本例において、ノズル部５が前方に突出されて第１の位置に来た状態で噴射ノズル４からは、第１の光照射ユニット２ａあるいは当該ユニット及び第２の光照射ユニット２ｂに対応する透明部材１ｂの表面に向けて洗浄液が噴射されることは勿論である。
【００３２】
また、図４、図５では各ユニットを水平方向に沿って配置した構成を示したが、これに限らず、図６に示す車輌用灯具１Ａ′のように、各ユニットを鉛直方向に配置した縦型の構成、つまり、第１の光照射ユニット２ａの下方に第２の光照射ユニット２ｂ及び洗浄ユニット３Ａを配置し、噴射ノズル４の噴射口を上向きとした構成。）等、各種の実施態様が可能である。
【００３３】
この他、第１の光照射ユニットを構成する光源からの光を洗浄ユニットの装飾用カバー部材内に取り入れて、これを前方に反射させる構成を採用しても良い。
【００３４】
例えば、図７及び図８に示す例では、車輌用灯具１Ｂにおいて、第１の光照射ユニット２ａの右脇に、第２の光照射ユニット２ｂ（ターンシグナルランプ等の補助ランプ）２ｂと洗浄ユニット３Ｂが設けられ、これらのユニットが上下方向に沿って配置されている。
【００３５】
そして、図８に示すように、第１の光照射ユニット２ａは、光源７（ハロゲン電球や放電灯等）と、反射鏡８′（例えば、回転放物面反射鏡や、多数の反射ステップからなる多重面反射鏡等）、当該反射鏡８′の前方に位置される透明部材１ｂ（レンズ部材又は素通しのカバー部材）を有しており、ヘッドライトの照射用に使用される。
【００３６】
洗浄ユニット３Ｂについては、図示するように、噴射ノズル４の前方に付設された装飾用カバー部材６Ｂが、透明なカバー部（あるいはレンズ部）６Ｂａとボディ部６Ｂｂから構成されており、該ボディ部６Ｂｂには、上記第１の光照射ユニット２ａの光源７からの光を前方に向けて反射させるための反射部６Ｂｃが形成されているので、当該光源の発する光の一部が、図８の矢印「ＬＢ」で示すように、カバー部材６Ｂ内に入射されてから反射部６Ｂｃで反射されることにより、装飾用カバー部材６Ｂが第１の光照射ユニット２ａに対する光制御の補助機能を有する（透明部材１ｂ及び装飾用カバー部材６Ｂから光が出射されて両部分が光ってみえることになる。
【００３７】
上記の形態（ＩＩ）では、いずれかの光照射ユニットから得られる光を利用することによって、洗浄ユニットの装飾用カバー部材から前方に光を照射する機能をもたせることで、灯具の点灯時において、当該ユニットがあたかもランプ機能をもっているかのようにみせかけることができるので、その本来の機能としては光照射ユニットとは異なる役目をもつ洗浄ユニットが、光照射ユニットに対してみかけの上では同等の関係をもって外観に現れるようになり、見栄えが向上する。
【００３８】
尚、以上の説明では洗浄ユニットが灯具の内部に設けられた構成を示したが、これに限らず、灯具の外面に洗浄ユニットを付設した実施形態でも良く、例えば、図９及び図１０に示す車輌用灯具１Ｃが挙げられる。
【００３９】
本例では灯具内に第１の光照射ユニット２ａと第２の光照射ユニット２ｂとが内蔵されており、洗浄ユニット３Ｃは灯具１Ｃにおいて第２の光照射ユニット２ｂの下方から付設された構成を有している。
【００４０】
そして、透明部材１ｂについては第１の光照射ユニット２ａ及び第２の光照射ユニット２ｂを構成するが、透明部材１ｂのうち正面からみて部分的に切り欠かれた部分に挿合するカバー部材６Ｃが洗浄ユニット３Ｃを構成している。尚、第１の光照射ユニット２ａについては特記すべき特徴的事項はなく、光源及び反射鏡を含む一般的な構成を有していれば良いのでその説明を省略する。
【００４１】
図１０は第２の光照射ユニット２ｂ及び洗浄ユニットの一部を示す縦断面図であり、第２の光照射ユニット２ｂについては光源７、反射鏡８（その反射面には多数の反射ステップが形成されている。）、そして、透明部材１ｂのうち反射鏡８を前方から覆っている部分から構成される。
【００４２】
洗浄ユニット３Ｃについては、そのカバー部材６Ｃが透明部６Ｃａとボディ部６Ｃｂとからなり、ボディ部６Ｃｂが噴射ノズル４の前方に付設されている。
【００４３】
ボディ部６Ｃｂには光源７からの光を反射させるための反射部６Ｃｃがあり、その表面には多数の反射ステップが形成されている。そして、透明部６Ｃａのうち、反射部６Ｃｃに対応した内面領域には多数のレンズステップが形成されている。
【００４４】
本例では洗浄ユニット３Ｃの本体部（図示せず。）が灯具１Ｃの側面に取り付けられており、ノズル部５が後退した第２の位置において光源７を点灯させるとその光の一部が反射部６Ｃｃによって反射されて前方に照射されるようになっている。つまり、透明部材１ｂの一部１ｂｎが反射鏡８の下部まで達しており、この部分を通った光が透明部６Ｃａの上面部を通して反射部６Ｃｃに到達する。
【００４５】
この他、カバー部材の内部に光源を設けることにより、他の光源からの光を借りることなく照射光を得るようにした形態として、例えば、図１１に示す構成例が挙げられる。
【００４６】
この例に示すカバー部材６Ｄでは、その透明部６Ｄａとボディ部６Ｄｂとによって画成された灯具空間内に光源として発光ダイオード６ＤＬ及びその取付基板６ＤＰが配置されている。そして、透明部６Ｄａのうち発光ダイオード６ＤＬの前方に位置する内面領域には多数のレンズステップが形成されている。
【００４７】
従って、発光ダイオード６ＤＬによる光が透明部６Ｄａを通して前方に照射されるので、別の光源からの光を必要としないことは勿論、カバー部材６Ｄ及びノズル部５が前方に突出された第１の位置においても光照射が可能になる。
【００４８】
尚、発光ダイオード６ＤＬの発光色と透明部６Ｄａの色とを適宜に組み合わせることで色の選択幅を拡げることができる。例えば、発光色を白色として透明部６Ｄａを無色透明に選定すればクリアランスランプの機能を実現でき、あるいは、発光色をアンバー色として透明部６Ｄａを無色透明とする（又は発光色を白色として透明部６Ｄａをアンバー色とする。）ことでターンシグナルランプの機能を実現する等といった具合に設計上の自由度を高めることができるという利点がある。
【００４９】
【実施例】
図１２乃至図１５は、本発明を自動車用前照灯に適用した実施の一例を示すものである。
【００５０】
図１２に示すように、前照灯装置１０は、ほぼ四角形の正面形状をしており、下記に示す各ユニットを有している（括弧内は符号を示す。）。
【００５１】
・ヘッドライト照射ユニット（１１）
・ターンシグナルランプユニット（１２）
・パーキングランプユニット（１３）
・ランプウォッシャーユニット（１４）。
【００５２】
前照灯装置１０において、ランプボディ１５の前面を覆っている合成樹脂製の透明カバー部材１６については、レンズステップが形成されていない素通し状態となっており、この透明カバー部材を通して上記各ユニットのレンズ部分が灯具外から視認される。尚、ランプウォッシャーユニット１４については、その一部を構成するカバー部材１７だけが外部に現れるようにし、当該部分を、疑似的なランプ部としてみせかけるようにしている。
【００５３】
先ず、ヘッドライト照射ユニット１１は、図１３（図１２のＸＩＩＩ−ＸＩＩＩ線参照。）に示すように、灯具内に配置された合成樹脂製のインナーパネル１８とボディ１９とにより画成される空間２０内に配置されており、プロジェクタ型のランプ構成を有する。つまり、本ユニットは、反射鏡２１と、これに取り付けられた光源２２（本例では、放電灯を使用している。）と、投影レンズ２３を備えており、投影レンズ２３のうちその周縁部を除いた部分が、インナーパネル１８に形成された開口から前方に突出している（当該部分が灯具の正面から認識される。）。そして、投影レンズ２３やその支持部材２４、そして、反射鏡２１によって形成された空間２５には、遮光部材（シェード）２６が設けられており、当該部材は光源２２より前方に位置され、光源２２からの下向き光を遮るとともに上縁２７によって車輌用配光における明暗境界を限定する役割を果たしている。
【００５４】
図１２に示されるように、ターンシグナルランプユニット１２はヘッドライト照射ユニット１１の左下に位置されており、これは方向指示用信号を発するものである。本ユニットは、図１４（図１２のＸＩＶ−ＸＩＶ線参照。）に示すように、反射鏡２８と、機能色（アンバー）の発光用光源２９（着色されたガラス電球等）と、インナーレンズ３０とを備えている。
【００５５】
反射鏡２８については耐熱性樹脂材料が使用されて、その反射面にアルミニウム等の蒸着が施されており、また、インナーレンズ３０については無色透明の合成樹脂材料が使用され、その周縁部を除いた部分が透明な透明カバー部材１６を通して外部から視認される。尚、インナーレンズ３０の内面には上下方向に延びるレンズステップが形成されている。
【００５６】
ターンシグナルランプユニット１２の右方には、図１２に示すように、パーキングランプユニット１３とランプウォッシャーユニット１４とが横一列に並設されており、前者の方がターンシグナルランプユニット１２の近くに位置している。
【００５７】
パーキングランプユニット１３については、図１４に示すように、上記反射鏡２８に連設された反射鏡３１と、白熱電球等の光源３２、そして、透明カバー部材１６のうちこれらの部材に対応した部分３３（その内面には水平方向に延びるレンズステップが形成されている。）とによって構成されている。
【００５８】
ランプウォッシャーユニット１４は、図１３乃至図１５に示すように、本体部３４と、該本体部に対して伸縮自在な状態で支持されたピストン３５（図１５参照。）と、当該ピストンの端部に付設された噴射ノズル３６及びそのさらに前方（灯具の照射方向）に付設されたカバー部材１７を有している。
【００５９】
カバー部材１７については、透明材料で形成されたレンズ部１７ａと、不透明材料で形成された反射部１７ｂとにより構成されている。例えば、図１４の大円内に拡大して示すように、反射部１７ｂのうちレンズ部１７ａの前面部に対応した表面には多数の反射ステップ３７、３７、・・・が形成され、これらのステップに対してアルミニウム蒸着等による反射処理が施されている。尚、レンズ部１７ａの内面には水平方向に延びるレンズステップ３８、３８、・・・を形成することで、パーキングランプユニット１３のレンズ部分（３３）との間で外観上の調和を図っている。そして、パーキングランプユニット１３の光源３２から発した光は、図１４に矢印Ｌ、Ｌ、・・・で示すように、上記したレンズステップの形成部分３３を通して前方に照射されるとともに、その一部が、透明カバー部材１６及びレンズ部１７ａを通って反射部１７ｂに到達し、ここで反射ステップ３７、３７、・・・により反射された後に、レンズ部１７ａのレンズステップ３８、３８、・・・を通して前方（又は斜め前方）への照射光となって灯具外に出射される。尚。反射部１７ｂの反射面については、これを回転放物面等の単一曲面とする方法もあるが、多数の反射ステップを形成することにより各ステップでの反射光線の方向制御に係る設計の自由度を増すことができるという利点がある。
【００６０】
カバー部材１７を灯具の正面から見たときの形状は、透明カバー部材１６の部分的な開口部に挿合する形状を有するように設計されている。つまり、灯具の非洗浄時において、カバー部材１７のレンズ部１７ａの表面が、透明カバー部材１６のうちレンズ部１７ａの近傍に位置される部分の表面と面一の状態とされ、このときにパーキングランプユニット１３の光源３２を点灯させると、反射部１７ｂの作用によってカバー部材１７のレンズ部１７ａがパーキングランプユニット１３とともに点灯するので、外見上、両者が一体的に点灯している状態が認識される。
尚、本体部３４については、図１３に示すように、取付用部材（ブラケットやバンド部材等）３９、３９を使って当該本体部３４を保持した状態とし、これらの取付用部材を、例えば、灯具のボディ１９に形成された支持部１９ａ、１９ａ、・・・にネジ止めで固定する等の取付方法が挙げられる。
【００６１】
また、本体部３４の内部構造については、図１５に示すように、硬質の合成樹脂材料等を用いて円筒状に形成されたシリンダ４０と、その内部において摺動自在に支持されたピストン３５を備えた構成となっている。
【００６２】
シリンダ４０の一端部（後端部）には洗浄液供給管４１が付設されており、図示しない洗浄液タンクからポンプを経て洗浄液が供給されるようになっている。尚、シリンダ４０の前端部は開放されている。
【００６３】
ピストン３５の軸部３５ａには中心孔４２が軸方向に沿って形成されており、当該軸部３５ａの一部がシリンダ４０の前端部に被着されたキャップ４３の挿通孔に挿通され、軸部３５ａの後端部には閉止弁４４が取り付けられている。尚、この閉止弁４４は、筒状をしたジョイント部と、ダイヤフラム、バネ受リング、閉弁用スプリング等の部材で構成されている。
【００６４】
コイルスプリング４５はピストン３５に外嵌されて当該ピストンとキャップ４３との間で圧縮状態とされており、これによって、ピストン３５がシリンダ４０の底面に押し付けられた状態となっている。
【００６５】
合成樹脂材料によって形成された噴射ノズル３６は、ピストン３５の軸端部に取り付けられたノズルホルダー４６に保持されており、その噴射口が通路を介してピストン３５の中心孔４２と連通しているので、ピストン３５の前端に達した洗浄液が噴射ノズル３６の噴射口から噴射されることになる。
【００６６】
尚、ノズルホルダー４６とキャップ４３との間にはゴム製の蛇腹状カバー４７が設けられており、当該カバーはピストン３５の移動ストロークに応じて伸縮されることで、水や埃等のシリンダ４０内への侵入を防いでいる。
【００６７】
しかして、図示しない洗浄液タンクからの洗浄液が洗浄液供給管４１に供給され、該洗浄液の圧力が閉止弁４４のダイヤフラムにかかると、このときの力がそのままピストン３５を前方へと移動させる方向への力として働くので、これがコイルスプリング４５のばね力に打ち勝つと、ピストン３５が前方へ移動されていく。
【００６８】
ピストン３５が最も突出した位置（これが上記した第１の位置に相当し、図１５にはカバー部材１７とノズル部だけを２点鎖線で示している。）に来ると、そこで移動が停止し、流体圧が更に上昇して当該圧力が閉弁用スプリングのばね力に打ち勝つようになると、閉止弁４４のダイヤフラムが前に撓むことで閉止弁４４が開いて洗浄液供給管４１からピストン３５の中心孔４２に達する通路が形成される。それから洗浄液は噴射ノズル３６に達した後、その噴射口から外部に噴射されて、透明カバー部材１６の外表面が洗浄される。
【００６９】
そして、洗浄動作を終了した後には、洗浄液の流体圧を低くすれば当該圧力が閉弁用スプリングのばね力に比して小さくなるので、閉止弁４４が閉じられ、よって、噴射ノズル３６への洗浄液の供給路が断たれるとともに、コイルスプリング４５の復元力によってピストン３５の位置が洗浄開始前の位置（第２の位置）に戻る。
【００７０】
尚、上記の実施例では、１個のヘッドライト照射ユニットを設けた例を示したが、これに限らず複数個の光照射ユニットを使用してヘッドライトに係る照射制御を行うようにした実施形態、例えば、図１２において、２点鎖線の四角枠ＲＡで示すように、ユニット１１の横に別の光照射ユニット（光源、回転放物面反射鏡、透明カバー部材に形成されたレンズステップ群等により構成されるランプユニット等。）を増設して、すれ違いビームと走行ビームの切換を各照射ユニットの点灯切換によって行うようにした構成等、各種の形態が挙げられることは勿論である。
【００７１】
【発明の効果】
以上に記載したところから明らかなように、請求項１に係る発明によれば、洗浄ユニットが灯具に組み込まれた構成を有しているので、灯具に対する洗浄ユニットの取付精度のみによって透明部材に対する噴射ノズルの相対的な位置精度を保証することができ、ノズルの位置決めが容易になる。また、噴射ノズルが灯具装置に収容された状態において当該ノズルに付設された装飾用カバー部材の外表面が透明部材の外表面とともに灯具の前面を形成しているので、当該カバー部材によって外観上の違和感を伴うことが少なく、よって、灯具の見栄えを著しく損なうことがない。
【００７２】
請求項２に係る発明によれば、装飾用カバー部材に透明部又はレンズ部を形成して当該部分の表面が透明部材とともに灯具の前面を形成するように構成しているので、洗浄ユニットが光照射ユニットとみかけ上は同等の関係をもって外観に現れるので、灯具全体として見栄えが良くなる。
【図面の簡単な説明】
【図１】本発明に係る灯具装置の基本構成例を概略的に示す正面図である。
【図２】図１のＩＩ−ＩＩ線に沿って切断した要部の構成を示す拡大断面図である。
【図３】灯具装置の別例として縦型のものを概略的に示す正面図である。
【図４】第２の光照射ユニットに隣接して配置される洗浄ユニットを備えた灯具装置を概略的に示す正面図である。
【図５】図４のＶ−Ｖ線に沿って切断した要部の構成を示す拡大断面図である。
【図６】灯具装置の別例として縦型のものを概略的に示す正面図である。
【図７】第１の光照射ユニットに対してその右隣りに配置される洗浄ユニットを備えた灯具装置を概略的に示す正面図である。
【図８】図７のＶＩＩＩ−ＶＩＩＩ線に沿って切断した要部の構成を示す拡大断面図である。
【図９】図１０とともに灯具の外面に洗浄ユニットを付設した灯具装置を示すものであり、本図は概略的な正面図である。
【図１０】図９のＸ−Ｘ線に沿って切断した要部の拡大断面図である。
【図１１】カバー部材の内部に光源を設けた構成例を示す要部の断面図である。
【図１２】図１３乃至図１５とともに本発明の実施の一例を示すものであり、本図は灯具装置の正面形状を概略的に示す図である。
【図１３】ヘッドライト照射ユニット及びランプウォッシャーユニットを示す縦断面図である。
【図１４】パーキングランプユニット及びランプウォッシャーユニットを示す水平断面図である。
【図１５】ランプウォッシャーユニットの構造を示す縦断面図である。
【図１６】従来の装置例を示す概略図である。
【符号の説明】
１、１′、１Ａ、１Ａ′、１Ｂ…車輌用前照灯装置、１ａ…透明部材、１ｂ…ランプボディ、２、２ａ、２ｂ…光照射ユニット、３…洗浄ユニット、４…噴射ノズル、５…ノズル部、６、６Ａ、６Ｂ、６Ｃ、６Ｄ…装飾用カバー部材、６ａ、６Ａａ、６Ｂａ、６Ｃａ、６Ｄａ…透明部又はレンズ部
【図１】
0003566168.tif 000002
【図２】
0003566168.tif 000003
【図３】
0003566168.tif 000004
【図４】
0003566168.tif 000005
【図５】
0003566168.tif 000006
【図６】
0003566168.tif 000007
【図７】
0003566168.tif 000008
【図８】
0003566168.tif 000009
【図９】
0003566168.tif 000010
【図１０】
0003566168.tif 000011
【図１１】
0003566168.tif 000012
【図１２】
0003566168.tif 000013
【図１３】
0003566168.tif 000014
【図１４】
0003566168.tif 000015
【図１５】
0003566168.tif 000016
【図１６】
0003566168.tif 000017